(57)【要約】【課題】業務用記録装置等においては従来、記録装置に問題が発生した場合、記録装置の状態を調べる為に、まず、電話やテスト記録をユーザに送付してもらい、状況を確認してから、ユーザ先に訪問し、メンテナンスを行っている。しかしながら、近年開発されている記録装置は、サービス性の向上等を図るため、非常に多くの情報を装置内に保持しており、従来のような、手作業による装置情報管理では、逆にサービス効率が悪くなるという問題がある。【課題を解決するための手段】テストパターンで記録媒体内蔵素子に記録装置の状態を書き込めるようにした。例え記録部が故障していても内蔵素子への書き込みができる。【選択図】　　図１
2004066670.tif 000002
【特許請求の範囲】
【請求項１】
記録媒体に画像を記録する記録手段と、前記記録媒体に内蔵された無線通信素子と通信する無線通信手段と、前記無線通信手段を介して前記無線通信素子に記録装置の内部情報を書き込む書き込み手段とを備えた
記録装置。
【請求項２】
前記記録手段は記録装置のテスト記録するテスト記録手段を有することを特徴とする請求項１に記載の記録装置。
【請求項３】
前記書き込み手段は前記無線通信素子へのテスト書き込みするテスト書き込み手段を有することを特徴とする請求項１に記載の記録装置。
【請求項４】
前記記録装置はテスト記録するテスト記録手段と、テスト書き込みするテスト書き込み手段を有することを特徴とする
請求項１に記載の記録装置。
【請求項５】
前記記録装置は前記テスト記録手段によるテスト記録と、テスト書き込み手段によるテスト書き込みを並行に処理する処理手段を有することを特徴とする請求項４に記載の記録装置。
【請求項６】
前記テスト記録手段は複数のテスト記録パターンを有することを特徴とする請求項２、４、及び５に記載の記録装置。
【請求項７】
前記テスト書き込み手段は複数のテスト書き込みパターンを有することを特徴とする請求項３、４、及び５に記載の記録装置。
【請求項８】
前記テスト記録手段による記録内容と、前記テスト書き込み手段による書き込み内容は同じ情報であることを特徴とする
請求項４及び５に記載の記録装置。
【請求項９】
前記テスト記録手段による記録内容と、前記テスト書き込み手段による書き込み内容は異なる情報であることを特徴とする
請求項４及び５に記載の記録装置。
【請求項１０】
前記テスト記録手段による複数のテスト記録パターンと、前記テスト書き込み手段による複数のテスト書き込みパターンとを連続的に出力することを特徴とする請求項６から９に記載の記録装置。
【請求項１１】
前記記録手段による記録動作不良の場合、前記テスト書き込み手段による書き込み動作を実行することを特徴とする
請求項１から１０に記載の記録装置。
【請求項１２】
前記書き込み手段による書き込み動作不良の場合、前記テスト記録手段による記録動作を実行することを特徴とする
請求項１から１１に記載の記録装置。
【請求項１３】
前記無線通信素子に書き込まれた情報を読み出す読み出し手段を有することを特徴とする請求項１から１２に記載の記録装置。
【請求項１４】
前記無線通信素子とはＲＦ−ＩＤ（Ｒａｄｉｏ　Ｆｒｅｑｕｅｎｃｙ　Ｉｄｅｎｔｉｆｉｃａｔｉｏｎ）素子であることを特徴とする請求項１から１３に記載の記録装置。
【請求項１５】
記録媒体に情報を記録する記録手段と、前記記録媒体に設けられたメモリに前記情報に関連した関連情報を書き込む手段とを備えたことを特徴とする記録装置。
【請求項１６】
前記記録媒体に記録する情報としてレジストレーション調整パターンを記憶するメモリを備えたことを特徴とする
請求項１５に記載の記録装置。
【請求項１７】
前記記録媒体に記録する情報としてノズルチェックパターンを記憶するメモリを備えたことを特徴とする請求項１５に記載の記録装置。
【請求項１８】
前記記録媒体に記録する情報として記録調整値を記憶するメモリを備えたことを特徴とする請求項１５に記載の記録装置。
【発明の詳細な説明】
【０００１】
【発明の属する技術分野】
本発明は、無線通信素子を内蔵する記録媒体に対して、媒体表面への記録、及び記録媒体内蔵素子への情報の書き込み可能な記録装置に関するものである。
【０００２】
【背景の技術】
非接触で情報の書き込み／読み出し可能な素子とアンテナを備えたＲＦ−ＩＤ（Ｒａｄｉｏ　Ｆｒｅｑｕｅｎｃｙ　Ｉｄｅｎｔｉｆｉｃａｔｉｏｎ）素子等が開発されているが、通常この非接触ＩＣは、カット紙、ラベル、タグ紙や、ＩＣカード等の記録媒体に内蔵されている。
【０００３】
【従来の技術】
業務用記録装置等においては従来、記録装置に問題が発生した場合、記録装置の状態を調べる為に、電話での問い合わせや、テスト記録をユーザに送付してもらい、状況を確認してから、ユーザ先に訪問し、メンテナンスを行っている。
【０００４】
【発明が解決しようとしている課題】
しかしながら、近年開発されている記録装置は、サービス性の向上等を図るため、非常に多くの情報を装置内に保持しており、従来のような、手作業による装置情報管理では、逆にサービス効率が悪くなるという問題がある。
【０００５】
本発明の目的は素子内蔵の記録媒体を有効に活用することによって、サービス効率、及びサービス性の向上を目的とする。
【０００６】
【課題を解決する為の手段】
上記に鑑み本発明は為されたもので、記録装置のサービス性を格段に向上することを目的とし、下記の各手段を実施した。
【０００７】
記録媒体表面に画像を記録する記録手段と、前記記録媒体に内蔵された無線通信素子と通信する無線通信手段と前記無線通信手段を介して前記無線通信素子に記録装置の内部情報を書き込む書き込み手段とを備えた記録装置。
【０００８】
前記記録手段は記録装置のテスト記録するテスト記録手段を有することを特徴とする記録装置。
【０００９】
前記書き込み手段は前記無線通信素子へのテスト書き込みするテスト書き込み手段を有することを特徴とする記録装置。
【００１０】
前記記録装置はテスト記録するテスト記録手段と、テスト書き込みするテスト書き込み手段を有することを特徴とする記録装置。
【００１１】
前記記録装置は前記テスト記録手段によるテスト記録と、テスト書き込み手段によるテスト書き込みを並行に処理する並行処理手段を有することを特徴とする記録装置。
【００１２】
前記テスト記録手段は複数のテスト記録パターンを有することを特徴とする記録装置。
【００１３】
前記テスト書き込み手段は複数のテスト書き込みパターンを有することを特徴とする記録装置。
【００１４】
前記テスト記録手段による記録内容と、前記テスト書き込み手段による書き込み内容は同じ情報であることを特徴とする記録装置。
【００１５】
前記テスト記録手段による記録内容と、前記テスト書き込み手段による書き込み内容は異なる情報であることを特徴とする記録装置。
【００１６】
前記テスト記録手段による複数のテスト記録パターンと、前記テスト書き込み手段による複数のテスト書き込みパターンとを連続的に出力することを特徴とする記録装置。
【００１７】
前記記録手段による記録動作不良の場合、前記テスト書き込み手段による書き込み動作を実行することを特徴とする記録装置。
【００１８】
前記書き込み手段による書き込み動作不良の場合、前記テスト記録手段による記録動作を実行することを特徴とする記録装置。
【００１９】
前記無線通信素子に書き込まれた情報を読み出す読み出し手段を有することを特徴とする記録装置。
【００２０】
前記無線通信素子とはＲＦ−ＩＤ（Ｒａｄｉｏ　Ｆｒｅｑｕｅｎｃｙ　Ｉｄｅｎｔｉｆｉｃａｔｉｏｎ）素子であることを特徴とする記録装置。
【００２１】
記録媒体に情報を記録する記録手段と、前記記録媒体に設けられたメモリに前記情報に関連した関連情報を書き込む手段とを備えたことを特徴とする記録装置。
【００２２】
前記記録媒体に記録する情報としてレジストレーション調整パターンを記憶するメモリを備えたことを特徴とする記録装置。
【００２３】
前記記録媒体に記録する情報としてノズルチェックパターンを記憶するメモリを備えたことを特徴とする記録装置。
【００２４】
前記記録媒体に記録する情報として記録調整値を記憶するメモリを備えたことを特徴とする記録装置。
【００２５】
【作用】
本発明は、非接触ＩＣライタ内蔵の記録装置において、非接触ＩＣを内蔵する記録媒体に対して、記録装置の内部情報を書き込み可能である。
【００２６】
【実施例】
以下、図面を参照して本発明を実施した記録装置について詳細に説明する。
【００２７】
（第１の実施例）
本実施例に使用した記録システムの斜視図を図１に示す。
【００２８】
記録装置（１００）はホストコンピュータ（１０５）からケーブル（１０６）を介して画像情報やデータを受信し、記録媒体供給部（以降、ロールユニット）（１０２）から繰り出される非接触ＩＣ内蔵の記録媒体（図３参照）表面への記録と非接触ＩＣへのデータの書き込みが可能である。
【００２９】
本発明を実施したインクジェット記録装置（１００）の構造を説明するための透視図を図２に示す。
【００３０】
記録ヘッドユニット（２００）は記録ヘッド（２０１〜２０４）、及び記録ヘッドの安定した（インクの）吐出を維持するための回復系ユニット（不図示）によって構成されている。
【００３１】
記録媒体（２１３）はロールユニット（１０２）から供給され、搬送ユニット（２２０）によって、連続的に搬送される。
【００３２】
定速度で搬送しながら、用紙の記録開始位置がブラックの記録ヘッド（２０１）の下に到達したときに、記録データに基づきブラックインクを選択的に吐出し、記録開始する。
【００３３】
同様に、シアン（２０２）、マジェンタ（２０３）、イエロー（２０４）の順に、各記録ヘッドは対応した各色のインクを吐出してカラー記録する。
【００３４】
記録装置本体（２１５）は、搬送ユニット（２２０）、記録ヘッド（２０１〜２０４）にインクを供給するインクカートリッジ（２０８，２０９，２１０，２１１）、記録ヘッドへのインク供給や回復動作のためのポンプユニット（不図示）、記録装置全体を制御する制御回路（図４参照）等によって構成されている。
【００３５】
また、フロントドア（図１、１０３）は、インクカートリッジ（２０８、２０９、２１０、２１１）交換用の開閉扉である。
【００３６】
入口ＴＯＦ（Ｔｏｐ　Ｏｆ　Ｆｏｒｍ）センサ（２２０）と出口ＴＯＦセンサ（２２１）は、例えば透過型のセンサで用紙の先端や後端の検知等に用いる。
【００３７】
記録媒体（２１３）に内蔵された無線通信素子（２１４）に対するデータの書き込みは、記録装置制御基板（２０７）にケーブル（２０６）で接続された通信アンテナ（２０５）の近傍を、無線通信素子（２１４）が通過する間に、行われる。
【００３８】
本実施例に使用した無線通信素子（２１４）を内蔵する記録媒体の解説図を図３に示す。
【００３９】
無線通信素子（２１４）が台紙（３０４）上に均等に配置され、同サイズのダイカットされたシール（２１３）に、等間隔の隙間を空けて設けられている。
【００４０】
無線通信素子（２１４）は、例えばコイル状にパターニングされたアンテナ（３０１）とメモリを含む素子（３０２）から構成される。
【００４１】
本発明を実施した記録装置１００の電気的なブロック図を図４に示す。
【００４２】
ＭＰＵ（４０１）はプログラムＲＯＭ（４０３）に内蔵された制御プログラムに基づいて、記録装置１００全般の制御を行う。
【００４３】
通信用ドライバ４０６はホストコンピュータ等（１０５）とのインターフェースをＭＰＵ（４０１）の指示に基づいて制御し、ホストコンピュータ（１０５）から画像データが入力されると、メモリコントローラ（４０２）の動作によって、画像メモリ（４０５Ｋ，４０５Ｃ，４０５Ｍ，４０５Ｙ）にＤＭＡ（Ｄｉｒｅｃｔ　Ｍｅｍｏｒｙ　Ａｃｃｅｓｓ）転送等で高速に展開される。
【００４４】
ＭＰＵ（４０１）は又、オペレーションパネル（４０７）上のＬＥＤや液晶表示器、操作キー等の制御、管理を行う。
【００４５】
ＭＰＵ（４０１）の作業領域には作業用ＲＡＭ（４０４）が使用される。
【００４６】
ＭＰＵ（４０１）はこの他、装置内部で使用する記録媒体搬送用の搬送モータ（不図示）、記録ヘッドユニット（２００）を上下に移動するヘッドＵ／Ｄモータ（不図示）、記録ヘッド（２０１〜２０４）を待機中にキャップするキャッピング機構を駆動するキャッピングモータ（不図示）等を（モータドライバ４１０を介して）駆動制御する。
【００４７】
記録ヘッド制御回路（４０８）は、印字有効、無効の指定や印字領域の指定等を各色独立に設定可能で、各色の記録ヘッド（２０１〜２０４）を駆動制御する。
【００４８】
無線通信素子（２１４）への情報の書き込み、読み込みを行う非接触ＩＣコントローラ（ＲＦ−ＩＤリーダ／ライタ）（４１２）はＭＰＵ（４０１）の制御下で動作する。
【００４９】
そしてフィルタ（４１３）は、非接触ＩＣコントローラ（４１２）から通信アンテナ（４１４）に送受信される無線周波数信号のフィルタリングを行う。
【００５０】
ホストコンピュータ等から送られる記録データのコマンド体系を図５に示す。
【００５１】
５０１、５０８，５０９等の制御コマンド、５０２、５０３、５１０等の設定コマンド、そして５０４，５０５，５０６，５０７からなる画像データ転送コマンドから構成されている。
【００５２】
ホストコンピュータ（１０５）が、記録装置（１００）に画像の記録と無線通信素子（２１４）への書き込み指示する処理のフローチャートを図６に示す。
【００５３】
かかるフローに対応したプログラムがホストコンピュータ（１０５）のメモリに記憶され、ホストコンピュータ内のＣＰＵにより実行される。
【００５４】
先ず、記録装置の設定をリセット状態にし（６０１）、その後、用紙設定（６０２）、記録枚数設定（６０３）を行い、イメージデータを各色ごとに転送（６０４，６０５，６０６，６０７）し、次に無線通信素子（２１４）に書き込むためのデータを送信（６０８）、そして記録開始コマンドを送信し（６０９）終了する。
【００５５】
次にホストコンピュータ（１０５）が、記録装置（１００）にテスト記録を指示する場合の処理について図７のフローチャートを用いて説明する。
【００５６】
かかるフローに対応したプログラムがホストコンピュータ（１０５）のメモリに記憶され、ホストコンピュータ内のＣＰＵにより実行される。
【００５７】
記録装置の設定をリセット状態にし（７０１）、その後、用紙設定（７０２）、記録枚数設定（７０３）を行い、テスト記録の番号を設定したテスト記録展開のコマンドを送信（７０４）、続いて記録開始コマンドを送信し（７０５）、終了する。
【００５８】
図は８、ホストコンピュータ（１０５）からコマンドを受信した場合の記録装置（１００）側ＭＰＵ（４０１）が実行するフローチャートである。
【００５９】
かかるフローに対応したプログラムはプログラムＲＯＭ４０３に記憶されている。
【００６０】
本フローチャートに従って、ＭＰＵ（４０１）はコマンドの解析を行う。
【００６１】
ホストコンピュータからプリンタリセットコマンド（５０１）を受信すると、８００の判断分岐により設定初期化処理（８０１）に移行する。
【００６２】
設定初期化処理（８０１）では、ＲＡＭ４０４内に設定される用紙サイズや記録枚数など記録に関するパラメータ等を初期化する。
【００６３】
また、前回記録した記録媒体の状態により、搬送ユニット（２３０）やロールユニット（１０２）を記録媒体搬送用モータ等（４１１）により、記録媒体（２１３）の逆転搬送を行い、次ページの先端を入口ＴＯＦセンサ（２２０）より上流まで戻す。
【００６４】
処理終了後、コマンド解析ループへ戻る。
【００６５】
用紙設定コマンド（５０２）を受信すると、８０２の判断分岐により用紙設定処理（８０３）に移行する。
【００６６】
用紙設定処理（８０３）では、これから送られてくる画像の用紙サイズや用紙種類など用紙に関するパラメータをＲＡＭ４０４内所定領域に設定する。
【００６７】
処理終了後、コマンド解析ループへ戻る。
【００６８】
記録枚数設定コマンド（５０３）を受信すると、８０４の判断分岐により記録枚数設定処理（８０５）に移行する。
【００６９】
記録枚数設定処理（８０５）では、これから送られてくる画像の出力枚数を設定する。
【００７０】
処理終了後、コマンド解析ループへ戻る。
【００７１】
各色のイメージデータコマンド（５０４，５０５，５０６，５０７）を受信すると、８０６の判断分岐によりデータ展開処理（８０７）に移行する。
【００７２】
データ展開処理（８０７）では、画像データ部分を抽出しながら、各色ごとに、画像メモリ（ＶＲＡＭ　４０５Ｋ〜４０５Ｙ）へ展開していく。
【００７３】
処理終了後、コマンド解析ループへ戻る。
【００７４】
テスト記録コマンド（５０９）を受信すると、８０８の判断分岐によりテストパターン展開処理（８０９）に移行する。
【００７５】
テストパターン展開処理（８０９）では、コマンド内のパラメータであるパターン番号により、画像メモリ（４０５Ｋ〜４０５Ｙ）へパターンを展開する。
【００７６】
展開処理（８０９）終了後、書き込みデータ設定処理（８１０）へ移行する。
【００７７】
書き込みデータ設定処理（８１０）では、無線通信素子２１４に書き込むためのデータをパターン番号により定め、ワークメモリ（４０４）に記憶させる。
【００７８】
処理終了後、コマンド解析ループへ戻る。
【００７９】
非接触ＩＣデータ設定コマンド（５１０）を受信すると、８１１の判断分岐により書き込みデータ取得処理（８１２）へ移行する。
【００８０】
書き込みデータ取得処理（８１２）では、無線通信素子に書き込むためのデータをコマンド内のパラメータから抽出し、ワークＲＡＭ（４０４）に記憶させる。
【００８１】
処理終了後、コマンド解析ループへ戻る。
【００８２】
記録開始コマンド（５０８）を受信すると、８１３の判断分岐により搬送開始処理（８１４）へ移行する。
【００８３】
搬送開始処理（８１４）では、記録ヘッドユニット（２００）をヘッドＵ／Ｄモータ（不図示）により、記録位置まで移動させ、また、搬送ユニット（２２０）やロールユニット（１０２）を記録媒体搬送用モータ等（４１１）により、駆動開始し、無線通信素子を内蔵する記録媒体（２１３）の搬送を開始する。
【００８４】
搬送開始処理（８１４）終了後、記録処理（８１５）へ移行する。
【００８５】
記録処理（８１５）では、図９〜１１に示すテスト記録パターンに関する処理と無線通信素子（２１４）にデータを書き込む処理を行う。
【００８６】
記録に関する処理では、搬送開始処理（８１４）により無線通信素子を内蔵する記録媒体（２１３）のダイカットされたシール（２１３）の隙間を用紙の先頭として入口ＴＯＦセンサ（２２０）で検知すると、記録１ライン分の移動量に相当する、搬送に使用しているモータのステップ数を数え、入口ＴＯＦセンサ（２２０）からブラックヘッド（２０１）迄の距離分の移動を確認したら、画像メモリのブラック領域（４０５Ｋ）から記録ヘッド制御回路（４０８）を介して、記録データが記録ヘッド（２０１）に転送される。
【００８７】
１ライン分の記録データが転送されると記録ヘッド制御回路（４０８）によりヘッドを駆動して記録を実行する。搬送量１ステップに対して１ラインずつの記録データ転送と記録動作を画像終了ラインまで繰り返すとブラック部分の画像がシール（２１３）上に完成する。
【００８８】
このように、入口ＴＯＦセンサ（２２０）を基準にして、残り３色に対しても同様の処理を行うと、１枚のシールにカラー記録が終了する。
【００８９】
無線通信素子にデータを書き込む処理では、出口ＴＯＦセンサ（２２１）で、用紙の先端を検知すると、記録媒体内の無線通信素子（２１４）と本体内に装着されている通信アンテナ（２０５）の近傍迄搬送された時点で、書き込みデータ設定処理（８１０）や書き込みデータ取得処理（８１２）内で、ワークＲＡＭ（４０４）に設定した書き込みデータを非接触ＩＣコントローラ（４１２）、フィルタ（４１３）、アンテナ（４１４）を介して、無線通信素子（２１４）にデータを書き込む。
【００９０】
記録と書き込みが終了した時点で、一定の搬送処理を行い、記録処理（８１５）は終了し、コマンド解析ループへ戻る。
【００９１】
また、記録ヘッド（２０１〜２０４）等のみが故障した場合は、上記書き込みのフローチャートには影響を与えず、同様の動作が可能である。
【００９２】
図９〜図１１は、テスト記録コマンドの実行により記録される、テスト記録パターンと無線通信素子（２１４）に書き込まれる内容を示した図である。
【００９３】
図９はレジストレーション調整パターンでプログラムＲＯＭ４０３に記憶されている。
【００９４】
図１０はノズルチェックパターンでプログラムＲＯＭ４０３に記憶されている。
【００９５】
図１１記録装置内部の各パラメータの設定値で不図示のＥＥＰＲＯＭに記憶される。
【００９６】
上記方法により、本実施例を実現している。
【００９７】
（第２の実施例）
第１実施例との違いのみを示す。
【００９８】
本実施例は、通信アンテナの近傍に無線通信素子内蔵記録媒体を置いておくことで、ホストコンピュータ等からの処理により、無線通信素子に記録装置１００の本体情報を書き込むことが出来る。
【００９９】
図１２は、ホストコンピュータ（１０５）から送られる記録データのコマンド体系である。
【０１００】
１２０１、１２０８，１２０９等の制御コマンド、１２０２、１２０３、１２１０等の設定コマンドと、１２０４，１２０５，１２０６，１２０７からなる画像データ転送コマンドから構成されている。
【０１０１】
図１３は、ホストコンピュータ（１０５）からコマンドを受信した場合の記録装置（１００）側でのフローチャートであり、コマンドを受信すると、フローチャートに従って、コマンドの解析を行う。
【０１０２】
非接触ＩＣ書き込みコマンド（１２１０）を受信すると、１３１１の判断分岐により書き込み処理（１３１２）へ移行する。
【０１０３】
書き込み処理では、ワークＲＡＭ（４０４）に一時的に記憶した図１４に示す記録装置内部情報を、非接触ＩＣコントローラ（４１２）、フィルタ（４１３）、アンテナ（４１４）を介して、予め通信アンテナ（４１４）近傍にセットされた記録媒体内の無線通信素子（２１４）に書き込む。
【０１０４】
（その他の実施例）
今回、ホストコンピュータ（１０５）からのコマンドによる、テスト記録や書き込み処理を説明してきたが、本体付属のオペレーションパネルの操作で、テスト記録や書き込み処理を行っても良い。
【０１０５】
また、前述した実施形態においては、複数のラインヘッドを持つインクジェット記録装置について説明したが、これに限るもので無く、記録ヘッドは単数であってもよく、他の記録方式、例えばシリアルスキャン方式でも良く、インクジェット記録ではない記録方式であっても構わない。
【０１０６】
【発明の効果】
以上説明した様に、本発明によれば記録装置が保有している情報を記録媒体に内蔵する無線通信素子に書き込みが可能となり、パソコンに接続された非接触ＩＣ読取機により、その場でデータベース化や解析等が行える。
【０１０７】
そのため、従来の複数のテスト記録等で分割された装置情報を手入力でパソコン等に入力する必要がなくなり、非常にサービス効率の良い、記録装置を提供できる。
【０１０８】
又、記録ヘッド等の故障で例え、記録動作に支障をきたした場合であっても、記録媒体に内蔵の無線通信素子に記録装置内部情報を書き込み、それらの内容を解析できる為、サービス性は著しく向上する。
【０１０９】
【図面の簡単な説明】
【図１】本発明を実施した記録装置システムの斜視図である。
【図２】本発明を実施したインクジェット記録装置の構造を説明するための透視図である。
【図３】本発明を実施した非接触ＩＣ（無線通信素子）内蔵記録媒体の解説図である。
【図４】本発明を実施した記録装置の電気的なブロック図である。
【図５】実施例１で使用したホストコンピュータ等から送られるコマンド体系を示す図である。
【図６】実施例１で使用したホストコンピュータの画像データ記録処理に関わるフローチャートである。
【図７】実施例１で使用したホストコンピュータのテスト記録実行処理に関わるフローチャートである。
【図８】実施例１で使用した記録装置のコマンド受信処理のフローチャートである。
【図９】実施例１で使用したテスト記録パターン（レジ調整パターン）と非接触ＩＣへの書き込みデータを示す図である。
【図１０】実施例１で使用したテスト記録パターン（ノズルチェックパターン）と非接触ＩＣへの書き込みデータを示す図である。
【図１１】実施例１で使用したテスト記録パターン（設定値記録パターン）と非接触ＩＣへの書き込みデータを示す図である。
【図１２】実施例２で使用したホストコンピュータ等から送られるコマンド体系を示す図である。
【図１３】実施例２で使用した記録装置のコマンド受信処理のフローチャートである。
【図１４】実施例２で使用したテスト記録パターン（設定値記録パターン）と非接触ＩＣへの書き込みデータを示す図である。
【符号の説明】
０１００　　記録装置
０１０１　　オペレーションパネル
０１０２　　ロールユニット
０１０３　　フロントドア
０１０４　　電源スイッチ
０１０５　　ホストコンピュータ
０１０６　　インターフェースケーブル
０２００　　記録ヘッドユニット
０２０１　　記録ヘッド（ブラック）
０２０２　　記録ヘッド（シアン）
０２０３　　記録ヘッド（マジェンタ）
０２０４　　記録ヘッド（イエロー）
０２０５　　通信アンテナ
０２０６　　ケーブル
０２０７　　制御基板
０２０８　　インクカートリッジ（ブラック）
０２０９　　インクカートリッジ（シアン）
０２１０　　インクカートリッジ（マジェンタ）
０２１１　　インクカートリッジ（イエロー）
０２１３　　無線通信素子内蔵記録媒体
０２１４　　非接触ＩＣ（無線通信素子）
０２１５　　記録装置本体
０２２０　　ＴＯＦ（Ｔｏｐ　ｏｆ　Ｆｏｒｍ）入口センサ
０２２１　　ＴＯＦ出口センサ
０２３０　　搬送ユニット
０３０１　　アンテナ
０３０２　　ＩＣチップ（素子）
０３０３　　ダイカットシール（ラベル）
０３０４　　台紙
０４０１　　ＭＰＵ
０４０２　　メモリコントローラ
０４０３　　プログラムＲＯＭ
０４０４　　ＲＡＭ（ワークメモリ）
０４０５　　ＶＲＡＭ（画像メモリ）
０４０６　　通信用ドライバ
０４０７　　オペレーションパネル
０４０８　　ヘッド制御回路
０４１０　　モータドライバ
０４１１　　モータ
０４１２　　ＲＦ−ＩＤリーダ／ライタ（非接触ＩＣコントローラ）
０４１３　　フィルタ
０４１４　　通信アンテナ
０５０１　　プリンタリセットコマンド
０５０２　　用紙設定コマンド
０５０３　　記録枚数設定コマンド
０５０４　　ブラックイメージコマンド
０５０５　　イエローイメージコマンド
０５０６　　マゼンタイメージコマンド
０５０７　　シアンイメージコマンド
０５０８　　記録開始コマンド
０５０９　　テスト記録展開コマンド
０５１０　　非接触ＩＣデータ設定コマンド
０６０１　　プリンタリセットコマンド
０６０２　　用紙設定コマンド
０６０３　　記録枚数設定コマンド
０６０４　　ブラックイメージコマンド
０６０５　　イエローイメージコマンド
０６０６　　マゼンタイメージコマンド
０６０７　　シアンイメージコマンド
０６０８　　非接触ＩＣデータ設定コマンド
０６０９　　記録開始コマンド
０７０１　　プリンタリセットコマンド
０７０２　　用紙設定コマンド
０７０３　　記録枚数設定コマンド
０７０４　　テスト記録展開コマンド
０７０５　　記録開始コマンド
１２０１　　プリンタリセットコマンド
１２０２　　用紙設定コマンド
１２０３　　記録枚数設定コマンド
１２０４　　ブラックイメージコマンド
１２０５　　イエローイメージコマンド
１２０６　　マゼンタイメージコマンド
１２０７　　シアンイメージコマンド
１２０８　　記録開始コマンド
１２０９　　テスト記録展開コマンド
１２１０　　非接触書き込みコマンド
【図１】
2004066670.tif 000003
【図２】
2004066670.tif 000004
【図３】
2004066670.tif 000005
【図４】
2004066670.tif 000006
【図５】
2004066670.tif 000007
【図６】
2004066670.tif 000008
【図７】
2004066670.tif 000009
【図８】
2004066670.tif 000010
【図９】
2004066670.tif 000011
【図１０】
2004066670.tif 000012
【図１１】
2004066670.tif 000013
【図１２】
2004066670.tif 000014
【図１３】
2004066670.tif 000015
【図１４】
2004066670.tif 000016